(57)【要約】  【課題】  従来のピックアップ送り装置においては、送りネジのネジ部と歯との間に大きな摩擦力が発生するため、送りネジの駆動力をその摩擦力に対抗して大きくする必要があり、装置全体の小型化，低消費電力化を困難にしていた。  【解決手段】  送りネジ１０と、そのネジ部１０ａに係合する歯２３ａ，２３ａ，２３ａを有し、送りネジ１０が回転することによって送りネジ１０の軸長方向に沿って移動する歯部２３と、この歯部２３とピックアップ８とを接続するフォロワ本体２６とを備え、フォロワ本体２６は送りネジ１０の軸長方向と平行な方向の剛性が送りネジ１０の軸長方向と交差する方向の剛性に比して大であり、歯部２３とピックアップ８とを結ぶ方向と交差する方向に歯部２３を送りネジ１０へ向けて付勢する。【選択図】      図１
2005093037.tif 000002
【特許請求の範囲】
【請求項１】
送りネジと、該送りネジのネジ部と係合する歯を有し、前記送りネジが回転することによって前記送りネジの軸長方向に沿って移動する従動部材と、該従動部材とピックアップとを連結する連結部材とを備えたピックアップ送り装置において、
前記連結部材は、前記送りネジの軸長方向と平行な方向の剛性が前記送りネジの軸長方向と交差する方向の剛性に比して大に構成されており、
前記連結部材は一端側が前記ピックアップと連結されており、他端側が前記送りネジと交差する位置まで延出されており、該延出された他端側に前記送りネジに面するように前記従動部材が一体形成されていること
を特徴とするピックアップ送り装置。
【請求項２】
前記連結部材は、前記送りネジの軸長方向と平行な方向に幅広であり前記送りネジの軸長方向と交差する方向に肉薄である板状に形成されており、前記板状の一方の幅広の面に前記従動部材が取り付けられていることを特徴とする請求項１に記載のピックアップ送り装置。
【請求項３】
前記連結部材の前記他端側が、前記送りネジの軸長方向と平行な方向に前記送りネジの外径よりも大なる幅の開口部が形成されるように、前記送りネジの軸長方向と交差する方向に二分岐されており、
前記二分岐された一方の側に面するように前記従動部材が前記二分岐された他方の側に取り付けられていること
を特徴とする請求項１に記載のピックアップ送り装置。
【請求項４】
前記連結部材の前記他端側を前記送りネジへ向けて付勢する付勢部材を更に備えたことを特徴とする請求項３に記載のピックアップ送り装置。
【請求項５】
前記二分岐された一方の側が、前記開口部に前記送りネジが装入されて前記ネジ部が前記従動部材の歯と係合している状態で前記従動部材の歯が前記送りネジのネジ部から外れないようにするストッパとして機能する形状に形成されていることを特徴とする請求項４に記載のピックアップ送り装置。
【請求項６】
前記従動部材の歯が前記送りネジのネジ部と係合している状態で、前記送りネジの外面とストッパとして機能する形状に形成されている前記二分岐された一方の側との間隙が約５０μｍを基準として調整されていることを特徴とする請求項５に記載のピックアップ送り装置。
【請求項７】
請求項１乃至６のいずれか１つに記載のピックアップ送り装置により前記ピックアップがディスク媒体に対してトラバース移動するようにしてあることを特徴とするピックアップのトラバース装置。
【請求項８】
請求項８に記載のピックアップのトラバース装置を備え、前記ピックアップがディスク媒体に対して情報の読み書きを行うようにしてあることを特徴とするディスクドライブ装置。
【発明の詳細な説明】
【技術分野】
【０００１】
本発明はディスクドライブ装置、たとえばＤＶＤレコーダ、ＤＶＤプレーヤ、ＣＤレコーダ、ＣＤプレーヤ等のような装置において、ディスク媒体からのデータの読み出し、ディスク媒体へのデータの書き込みを行なうためにピックアップをディスク媒体に対してトラバース移動させるピックアップ送り装置に関し、またそのようなピックアップ送り装置を利用したピックアップのトラバース装置、更にはそのようなトラバース装置を利用してディスク媒体に対してピックアップが情報の読み書きを行なうディスクドライブ装置に関する。
【背景技術】
【０００２】
図１０は従来のディスクドライブ装置の内部構成例を示す模式的平面図である。ディスクドライブ装置は、ディスク媒体に対してピックアップをトラバース移動させるトラバースメカニズム４と、ディスク媒体に対してピックアップが読み書きする情報を処理する電子回路と、ピックアップのディスク媒体に対する位置を制御するためのサーボ機構等で構成されている。
【０００３】
図中１５はスピンドルモータであり、その回転軸と同軸上で図示しないＤＶＤ，ＣＤ等のディスク媒体を回転させる。８はピックアップであり、スピンドルモータ１５が回転させるディスク媒体からデータを読み出し、またディスク媒体へデータを書き込む。
【０００４】
ところで、この種の装置では、ピックアップ８が固定されていてスピンドルモータ１５がディスク媒体を回転させつつ移動するタイプと、逆にディスク媒体を回転させるスピンドルモータ１５は移動せずにピックアップ８が移動するタイプとのいずれかに分かれる。図１０に示すディスクドライブ装置ではピックアップ８が移動する構成を採っているので、スピンドルモータ１５が回転させるディスク媒体の径方向にピックアップ８をトラバース移動させる必要があり、従ってピックアップ８はピックアップ８自体をディスク媒体に対して直線的にトラバース移動させるためのトラバースメカニズム４に組み込まれている。
【０００５】
トラバースメカニズム４は、ピックアップ８に固定的に連結されたフォロワ２をステッピングモータ１１の回転軸に同軸に形成された送りネジ１０が回転して移動させることにより、ピックアップ８を直線的に移動させるメカニズムである。
【０００６】
図１１は図１０に示されている従来のディスクドライブ装置に組み込まれているフォロワ２を拡大して示す模式的平面図であり、図１２はフォロワ２を送りネジ１０側の上方から見た状態を示す模式的斜視図である。このようなフォロワ２の構成例はたとえば特許文献１に開示されている。フォロワ２は、板状の基部６ａとその先端部をほぼ直角に折り曲げた支持部６ｂとからなるアングル状のフォロワ本体６と、支持部６ｂの送りネジ１０に面する側の面に溶着された樹脂製の歯部３とで構成されている。歯部３は送りネジ１０により移動させられる従動部材であり、その前面、即ち送りネジ１０と対向する面には歯３ａが基部６ａの面に対して所定の角度でこの例では２本形成されている。なお、９Ａ，９Ｂはフォロワ２をピックアップ８に固定するためにフォロワ本体６に設けられたビス孔である。
【０００７】
以上のような構成により、歯部３の前面に形成された歯３ａ，３ａに送りネジ１０のネジ部１０ａが係合した状態で送りネジ１０が回転すると、フォロワ２が送りネジ１０の軸長方向に沿って移動させられることになる。
【０００８】
ところで、フォロワ本体６は弾性材料で構成されており、その先端部の支持部６ｂが基部６ａに対してほぼ直角に折り曲げられていることにより、支持部６ｂが基部６ａに対してカンチレバー状に弾性支持されることになる。従って、支持部６ｂは基部６ａに対して折り曲げ部分を支点として送りネジ１０に向けて付勢されるような弾性を有している。
【０００９】
図１３は図１０に示されている従来のディスクドライブ装置に組み込まれているトラバースメカニズム４を拡大して示す模式的平面図である（但し、図１０のトラバースメカニズム４の右側を図１３では上側として示してある）。フォロワ２はピックアップ８のケース８ａに、前述したビス孔９Ａ，９Ｂを介してビス９ａ，９ｂにより固定されている。また、７はスレッドモータであり、具体的にはステッピングモータ１１とこのステッピングモータ１１の回転軸と同軸に形成された送りネジ１０とで構成されている。そして、このスレッドモータ７とフォロワ２とでピックアップ８を送りネジ１０の軸長方向に沿って平行移動させるピックアップ送り装置１が構成されている。
【００１０】
このような従来のトラバースメカニズム４では、ステッピングモータ１１はトラバースメカニズム４のフレームに固定されている。フォロワ２は、送りネジ１０と平行にトラバースメカニズム４のフレームに固定されたガイドロッド４ａに沿って移動可能である。また、ピックアップ８も、送りネジ１０と平行にトラバースメカニズム４のフレームに固定されたガイドロッド４ｂに沿って移動可能である。更に、フォロワ２とピックアップ８とは固定されている。従って、スレッドモータ７のステッピングモータ１１が回転すると送りネジ１０も回転し、この送りネジ１０のネジ部１０ａにフォロワ２の歯部３の歯３ａ，３ａが係合しているので、フォロワ２が送りネジ１０の軸長方向と平行な方向に移動し、これに伴ってピックアップ８も送りネジ１０の軸長方向と平行な方向に移動する。
【００１１】
ここで、前述の図１０を参照して、従来のディスクドライブ装置におけるピックアップ送り装置１の動作について説明する。駆動回路１２からケーブル（ＦＦＣ）１３を経由してステッピングモータ１１に駆動電力が供給されることにより、その駆動電力に応じた周波数にてステッピングモータ１１が正転又は逆転する。これにより、ステッピングモータ１１の回転軸と軸一体に形成された送りネジ１０が回転駆動され、送りネジ１０のネジ部１０ａに係合している歯部３の歯３ａ，３ａからフォロワ２へ駆動力が作用するので、上述したように、ピックアップ８が送りネジ１０の軸長方向と平行な矢符Ｂ方向又はＣ方向に送られる。
【００１２】
このようなトラバースメカニズム４に組み込まれたピックアップ送り装置により図示しないディスク媒体に対してトラバース移動しつつピックアップ８がディスク媒体から情報を読み取り、またディスク媒体へ情報を記録する。
【特許文献１】特開２００３−２４９０４３号公報
【発明の開示】
【発明が解決しようとする課題】
【００１３】
ところで、上述のような従来のピックアップ送り装置においては、歯部は樹脂材料で形成されており、また歯部は弾性部材によりアングル状に形成されたフォロワ本体に保持されている。このため、歯部の歯が送りネジのネジ部から逸脱しないように、常に大きな付勢力で、具体的にはピックアップ側から送りネジの方向への直線的な押圧力により、送りネジへ向けて付勢しておく必要がある。しかし、この場合、送りネジのネジ部と歯との間に大きな摩擦力が発生するため、送りネジの駆動力をその摩擦力に抗しうるように大きくする必要があり、このためにステッピングモータには大きな駆動力が要求される。このことは比較的大型のステッピングモータが必要になることを意味しており、ディスクドライブ装置全体の小型化，低消費電力化を困難にする要因となっている。また、ピックアップ側から送りネジの方向へ直線的に大きな押圧力を加える場合、ピックアップ自体にも押圧圧力の反力が作用するため、ピックアップによるデータの読み出し、書き込み精度にも影響を及ぼす可能性があった。
【００１４】
また逆に、フォロワの歯の送りネジ方向への付勢力を小さくした場合には上述のような問題は生じ難いが、送りネジのネジ部からフォロワの歯が外れるいわゆる歯飛び現象が発生する可能性が大きくなるので、ピックアップを正常に送ることができなくなるという問題が生じる虞もあった。
【００１５】
本発明は以上のような事情に鑑みてなされたものであり、比較的小型のステッピングモータを使用しても、ピックアップが上述のような力の影響を受けず、またそれほどには大きな付勢力を必要とせず、更にいわゆる歯飛び現象を防止し得るようにして、ピックアップ送り装置の提供を目的とする。更に、本発明はそのようなピックアップ送り装置を利用したピックアップのトラバース装置、及びそのようなトラバース装置を利用したディスクドライブ装置の提供を目的とする。
【課題を解決するための手段】
【００１６】
本発明に係るピックアップ送り装置は、送りネジと、該送りネジのネジ部と係合する歯を有し、前記送りネジが回転することによって前記送りネジの軸長方向に沿って移動する従動部材と、該従動部材とピックアップとを連結する連結部材とを備えたピックアップ送り装置において、前記連結部材は、前記送りネジの軸長方向と平行な方向の剛性が前記送りネジの軸長方向と交差する方向の剛性に比して大に構成されており、前記連結部材は一端側が前記ピックアップと連結されており、他端側が前記送りネジと交差する位置まで延出されており、該延出された他端側に前記送りネジに面するように前記従動部材が一体形成されていることを特徴とする。
【００１７】
このような本発明のピックアップ送り装置では、従動部材とピックアップとを連結する連結部材が、送りネジの軸長方向と平行な方向の剛性が送りネジの軸長方向と交差する方向の剛性に比して大に構成されており、しかも連結部材の他端側が送りネジと交差する位置まで延出されていてこの延出された他端側に送りネジに面するように従動部材が一体形成されているので、ピックアップに対して送りネジの軸長方向、換言すれば、ピックアップ自体の移動方向には確実に従動部材を移動させる力が伝達されるが、従動部材と送りネジとの係合状態は弾力的になる。
【００１８】
また本発明に係るピックアップ送り装置は、上述の発明において、前記連結部材は、前記送りネジの軸長方向と平行な方向に幅広であり前記送りネジの軸長方向と交差する方向に肉薄である板状に形成されており、前記板状の一方の幅広の面に前記従動部材が取り付けられていることを特徴とする。
【００１９】
このような本発明のピックアップ送り装置では、上述の発明において、連結部材が送りネジの軸長方向と平行な方向に幅広であり送りネジの軸長方向と交差する方向に肉薄である板状に形成されており、更に連結部材の板状の一方の幅広の面に従動部材が取り付けられているので、送りネジの軸長方向、換言すればピックアップの移動方向にはほとんど歪みを生じることがなく、また従動部材の送りネジに対する係合は弾力性に富む状態になる。
【００２０】
更に本発明に係るピックアップ送り装置は、前述の発明において、前記連結部材の前記他端側が、前記送りネジの軸長方向と平行な方向に前記送りネジの外径よりも大なる幅の開口部が形成されるように、前記送りネジの軸長方向と交差する方向に二分岐されており、前記二分岐された一方の側に面するように前記従動部材が前記二分岐された他方の側に取り付けられていることを特徴とする。
【００２１】
このような本発明のピックアップ送り装置では、前述の発明において、連結部材の他端側が、送りネジの軸長方向と平行な方向に送りネジの外径よりも大なる幅の開口部が形成されるように、送りネジの軸長方向と交差する方向に二分岐されており、二分岐された一方の側に面するように従動部材が二分岐された他方の側に取り付けられており、開口部に送りネジが装入された場合に送りネジのネジ部と従動部材の歯とが係合する。
【００２２】
更にまた本発明に係るピックアップ送り装置は、上述の発明において、前記連結部材の前記他端側を前記送りネジへ向けて付勢する付勢部材を更に備えたことを特徴とする。
【００２３】
このような本発明のピックアップ送り装置では、上述の発明において、連結部材の他端側が付勢部材により送りネジへ向けて付勢される。
【００２４】
また更に本発明に係るピックアップ送り装置は、上述の発明において、前記二分岐された一方の側が、前記開口部に前記送りネジが装入されて前記ネジ部が前記従動部材の歯と係合している状態で前記従動部材の歯が前記送りネジのネジ部から外れないようにするストッパとして機能する形状に形成されていることを特徴とする。
【００２５】
このような本発明のピックアップ送り装置では、上述の発明において、開口部に送りネジが装入されてネジ部と従動部材の歯とが係合された場合に、連結部材の他端側の二分岐された一方の側が従動部材の歯が送りネジのネジ部から外れないようにするストッパとして機能する。
【００２６】
更にまた本発明に係るピックアップ送り装置は、上述の発明において、前記従動部材の歯が前記送りネジのネジ部と係合している状態で、前記送りネジの外面とストッパとして機能する形状に形成されている前記二分岐された一方の側との間隙が約５０μｍを基準として調整されていることを特徴とする。
【００２７】
このような本発明のピックアップ送り装置では、前述の発明において、従動部材の歯が送りネジのネジ部と係合している状態で、送りネジの外面とストッパとして機能する連結部材の他端側の二分岐された一方の側との間隙が約５０μｍを基準として調整されているので、歯飛び現象が生じることは実質的にあり得ない。
【００２８】
更に本発明に係るピックアップのトラバース装置は、上述のいずれか一つに記載のピックアップ送り装置により前記ピックアップがディスク媒体に対してトラバース移動するようにしてあることを特徴とする。
【００２９】
このような本発明のピックアップのトラバース装置では、上述の各発明のピックアップ送り装置を利用したピックアップのトラバース装置が実現される。
【００３０】
また更に本発明に係るディスクドライブ装置は、上述のピックアップのトラバース装置を備え、前記ピックアップがディスク媒体に対して情報の読み書きを行うようにしてあることを特徴とする。
【００３１】
このような本発明のディスクドライブ装置では、上述の発明のピックアップのトラバース装置を利用したディスクドライブ装置が実現される。
【発明の効果】
【００３２】
以上のような本発明のピックアップ送り装置によれば、従動部材とピックアップとを連結する連結部材が、送りネジの軸長方向と平行な方向の剛性が送りネジの軸長方向と交差する方向の剛性に比して大に構成されており、しかも連結部材の他端側が送りネジと交差する位置まで延出されていてこの延出された他端側に送りネジに面するように従動部材が一体形成されているので、ピックアップに対して送りネジの軸長方向、換言すれば、ピックアップ自体の移動方向には確実に従動部材を移動させる力が伝達されるが、従動部材と送りネジとの係合状態は弾力的になる。
【００３３】
また本発明のピックアップ送り装置によれば、上述の発明において、接続部を送りネジの軸長方向と平行な方向に幅広であり送りネジの軸長方向と交差する方向に肉薄である板状に形成することで上述の発明の目的を達成することができるので、別部品としての付勢部材は必要がなく、コストダウンが図れる。
【００３４】
更に本発明のピックアップ送り装置によれば、前述の発明において、連結部材の他端側を送りネジの軸長方向と平行な方向に送りネジの外径よりも大なる幅の開口部に形成すると共に、送りネジの軸長方向と交差する方向に二分岐させ、この二分岐させた一方の側に面するように従動部材が二分岐された他方の側に取り付けられているので、開口部に送りネジが装入された場合に送りネジのネジ部と従動部材の歯とが係合し、いわゆる歯飛び現象が発生し難くなる。
【００３５】
更に本発明のピックアップ送り装置によれば、上述の発明において、連結部材の他端側を送りネジへ向けて付勢する付勢部材が備えられているので、従動部の歯と送りネジのネジ部とをより確実に係合させることが可能になる。
【００３６】
また更に本発明のピックアップ送り装置によれば、上述の発明において、開口部に送りネジが装入されてネジ部と従動部材の歯とが係合された場合に、連結部材の他端側の二分岐された一方の側が従動部材の歯が送りネジのネジ部から外れないようにするストッパとして機能するので、しかもその間隙が約５０μｍという僅かな間隙を基準として調整されているので、歯飛びをより確実に防止することが可能になる。
【００３７】
また本発明のピックアップのトラバース装置によれば、上述の各発明のピックアップ送り装置を利用した優れたピックアップのトラバース装置を実現することが可能になる。
【００３８】
更に本発明のディスクドライブ装置によれば、上述の発明のピックアップのトラバース装置を利用した優れたディスクドライブ装置が実現される。
【発明を実施するための最良の形態】
【００３９】
以下、本発明に係るピックアップ送り装置、ピックアップのトラバース装置、及びディスクドライブ装置をその発明を実施するための最良の形態を示す図面を参照して詳述する。まず、図１を参照して本発明のピックアップ送り装置の基本的な原理について説明する。
【００４０】
図１は本発明のピックアップ送り装置の基本的な構成を説明するための模式図であり、８はピックアップを、３は従動部材としての歯部を、１０は送りネジをそれぞれ示している。フォロワ２０は連結部材としてのフォロワ本体２６と、受動部材としての歯部２３とで構成されている。フォロワ本体（連結部材）２６はピックアップ８と固定的に連結されており、その移動方向（送りネジ１０の軸長方向と平行な方向）である矢符Ｂ及びＣ方向に幅広の薄板で構成されており、その一端部（基部）がピックアップ８に固定されており、他端部（先端部）の図上で下面に従動部材としての歯部２３が取り付けられている。歯部２３の下面には３個の歯２３ａ，２３ａ，２３ａが形成されており、これらの歯２３ａ，２３ａ，２３ａが送りネジ１０のネジ部１０ａに係合する。
【００４１】
従って、フォロワ本体２６は送りネジ１０の軸長方向に幅広な薄板であるため、送りネジ１０の軸長方向と平行な方向（矢符Ｗ，Ｘ方向）には高剛性であるが、板厚方向（矢符Ｙ，Ｚ方向）には弾力性を有している。このため、フォロワ本体２６の先端部が送りネジ１０を若干押圧する状態で両者の位置決めを行なうことにより、歯部２３の歯２３ａ，２３ａ，２３ａを送りネジ１０のネジ部１０ａにそれほどには圧力を加えずとも確実に係合させることが可能になる。
【００４２】
以下に、本発明の実施の形態について説明する。図２は本発明のピックアップ送り装置を構成するフォロワ２０を側面から見た状態を示す模式的立面図、図３は図２に示すフォロワ２０を図２上で左側正面から見た状態を示す模式的立面図、図４はフォロワ２０に送りネジ１０を係合させた状態を送りネジ１０側上方から見た状態を示す模式的斜視図、図５はフォロワ２０のみを送りネジ１０側下方から見た状態を示す模式的斜視図である。
【００４３】
本発明のピックアップ送り装置を構成するフォロワ２０は、フォロワ本体２６とその先端部に形成された係合部２６ｂとからなる。フォロワ本体２６は、送りネジ１０の軸長方向と平行な平面状に形成された薄板状の中間部２６ａと、この中間部２６ａの先端部に形成されていて上下方向に拡開して分岐した係合部２６ｂと、中間部２６ａの後端部に形成されていてピックアップ８に固定される固定部２６ｃとからなる。また、係合部２６ｂには従動部材としての歯部２３が取り付けられている。
【００４４】
係合部２６ｂは、中間部２６ａの先端部を肉厚にして送りネジ１０が完全に挿入される大きさに上下に分岐することにより、送りネジ１０の外径よりもやや大なる大きさの開口部が形成されている。この係合部２６ｂはそれ自体が中間部２６ａの弾性により図上で下方へ付勢されているが、その上側の部分（以下、上部部材２６Ｕという）に後述するダブルトーション方式のフォロワバネ５０がかけられることにより、より確実に下方、即ち送りネジ１０の方向へ付勢される。一方、係合部２６ｂの開口部の下側の部分は送りネジ１０が開口部から逸脱し無いように、より具体的には歯部２３の歯２３ａ，２３ａ，２３ａとの係合が外れないように、即ち歯飛び現象を起こさないようにするためのガイド部２６Ｇとして機能するような形状に形成されている。
【００４５】
歯部２３は、係合部２６ｂの上部部材２６Ｕの下面、即ち開口部の天井部分に樹脂製の板状に形成された状態で溶着されている。この歯部２３の下面には歯２３ａが中間部２６ａの面に直交する方向に対して所定の角度で３本形成されている。
【００４６】
なお、中間部２６ａは、送りネジ１０の軸長方向、即ちピックアップ８の移動方向である矢符Ｄ方向（図３参照）には幅広に形成されており、この方向に対しては剛性が高くなっている。また、中間部２６ａは、送りネジ１０の軸長方向と直交する方向、即ちピックアップ８の移動方向と直交する方向である矢符Ｅ方向（図３参照）には肉薄に形成されており、弾力性に富んでいる。
【００４７】
図６は図２乃至図５に示されているフォロワ２０及び送りネジ１０等で構成される本発明のピックアップ送り装置を組み込んだ本発明のピックアップのトラバース装置であるトラバースメカニズム４の構成例を示す模式的平面図である。フォロワ２０はピックアップ８のケース８ａにビス９により固定されている。また、７はスレッドモータであり、具体的にはステッピングモータ１１とこのステッピングモータ１１の回転軸と同軸に形成された送りネジ１０とで構成されている。そして、このスレッドモータ７とフォロワ２０とで本発明のピックアップ送り装置２１が構成されている。
【００４８】
このような本発明のトラバースメカニズム４では、ステッピングモータ１１はトラバースメカニズム４のフレームに固定されており、フォロワ２０は送りネジ１０と平行にトラバースメカニズム４のフレームに固定されたガイドロッド４ａに沿って移動可能であり、またピックアップ８も送りネジ１０と平行にトラバースメカニズム４のフレームに固定されたガイドロッド４ｂに沿って移動可能である。従って、スレッドモータ７のステッピングモータ１１が回転すると送りネジ１０も回転し、この送りネジ１０のネジ部１０ａにフォロワ２０の歯部２３の歯２３ａ，２３ａ，２３ａが係合しているので、フォロワ２０が、ひいてはピックアップ８が送りネジ１０の軸長方向と平行に移動することになる。
【００４９】
図７は上述のような本発明のピックアップのトラバース装置であるトラバースメカニズム４を組み込んだディスクドライブ装置の内部構成例を示す模式的平面図である。図中１５がスピンドルモータであり、その回転軸と同軸上で図示しないＤＶＤ，ＣＤ等のディスク媒体を回転させる。このスピンドルモータ１５が回転させるディスク媒体からピックアップ８がデータを読み出し、またディスク媒体へデータを書き込む。駆動回路１２からケーブル（ＦＦＣ）１３を経由してステッピングモータ１１に駆動電力が供給されることにより、その駆動電力に応じた周波数にてステッピングモータ１１が正転又は逆転する。これにより、ステッピングモータ１１の回転軸と同軸に形成されている送りネジ１０が回転駆動され、送りネジ１０のネジ部１０ａに係合している歯部２３の歯２３ａ，２３ａ，２３ａからフォロワ２０へ駆動力が作用するので、ピックアップ８が送りネジ１０と平行な矢符Ｂ方向又はＣ方向に送られる。
【００５０】
図８は本発明の他の実施例のピックアップ送り装置３１を備えた本発明のピックアップのトラバース装置であるトラバースメカニズム４の構成例を示す模式的平面図である。また、図９は図８に示す他の実施例のピックアップ送り装置３１に組み込まれているフォロワ３０を送りネジ１０側から見た状態を示す模式的立面図である。
【００５１】
フォロワ３０の歯部３３付近の形状において、歯部３３の歯３３ａ，３３ａ，３３ａが送りネジ１０のネジ部１０ａに係合している状態で、ガイド部３３Ｇと送りネジ１０との間隙３４が、例えば約５０μｍを基準として、即ち約５０μｍ程度の僅かな隙間になるように設定されている。従って、常にフォロワ３０の歯部３３が送りネジ１０のネジ部１０ａに係合して外れることがないので、図４に示すようなフォロワバネ５０は不要になる。この場合、必要に応じて、フォロワ本体の中間部の弾性により歯部３３を下方、即ち送りネジ１０側へ付勢するようにしてもよい。
【００５２】
このように構成された本実施の形態のピックアップ送り装置３１を組み込んだトラバースメカニズム４を図７に示したディスクドライブ装置に組み込んだ場合、前述の実施の形態の場合と同様に、ピックアップ８を送りネジ１０と平行で、スピンドルモータ１５に接近し、また離隔する方向へ、換言すればディスク媒体に対してトラバース移動するように送ることができる。
【００５３】
なお、上述の各実施例では、スレッドモータをステッピングモータで構成しているが、他のたとえばＤＣモータ等を用いて構成してもよいことはいうまでもない。また、上述の各実施の形態においては、歯部の歯を３本としているが、これはあくまでも一例であって、その本数は設計的事項である。
【図面の簡単な説明】
【００５４】
【図１】本発明のピックアップ送り装置の基本的な構成を説明するための模式図である。
【図２】本発明のピックアップ送り装置を構成するフォロワを側面から見た状態を示す模式的立面図である。
【図３】本発明のピックアップ送り装置を構成するフォロワを図２上で左側正面から見た状態を示す模式的立面図である。
【図４】本発明のピックアップ送り装置を構成するフォロワに送りネジを係合させた状態を送りネジ側上方から見た状態を示す模式的斜視図である。
【図５】本発明のピックアップ送り装置を構成するフォロワのみを送りネジ側下方から見た状態を示す模式的斜視図である。
【図６】本発明のピックアップ送り装置を組み込んだ本発明のピックアップのトラバース装置であるトラバースメカニズムの構成例を示す模式的平面図である。
【図７】本発明のピックアップのトラバース装置であるトラバースメカニズムを組み込んだディスクドライブ装置の内部構成例を示す模式的平面図である。
【図８】本発明の他の実施例のピックアップ送り装置を備えた本発明のピックアップのトラバース装置であるトラバースメカニズムの構成例を示す模式的平面図である。
【図９】図８に示す他の実施例のピックアップ送り装置に組み込まれているフォロワを送りネジ側から見た状態を示す模式的立面図である。
【図１０】従来のディスクドライブ装置の内部構成例を示す模式的平面図である。
【図１１】従来のディスクドライブ装置に組み込まれているフォロワを拡大して示す模式的平面図である。
【図１２】従来のディスクドライブ装置に組み込まれているフォロワを送りネジ側の上方から見た状態を示す模式的斜視図である。
【図１３】従来のディスクドライブ装置に組み込まれているトラバースメカニズムを拡大して示す模式的平面図である
【符号の説明】
【００５５】
２１  ピックアップ送り装置
３１  ピックアップ送り装置
２０  フォロワ
３０  フォロワ
１０  送りネジ
１０ａ  ネジ部
８  ピックアップ
２３  歯部
３３  歯部
２３ａ  歯
３３ａ  歯
２６  フォロワ本体
２６ａ  中間部
２６ｂ  係合部
２６ｃ  固定部
５０  フォロワバネ
【図１】
2005093037.tif 000003
【図２】
2005093037.tif 000004
【図３】
2005093037.tif 000005
【図４】
2005093037.tif 000006
【図５】
2005093037.tif 000007
【図６】
2005093037.tif 000008
【図７】
2005093037.tif 000009
【図８】
2005093037.tif 000010
【図９】
2005093037.tif 000011
【図１０】
2005093037.tif 000012
【図１１】
2005093037.tif 000013
【図１２】
2005093037.tif 000014
【図１３】
2005093037.tif 000015